(57)【要約】  スプリングコネクタの接触位置のばらつきによる電気長の変化を抑え、インピーダンスマッチング及び共振周波数のばらつきを小さくする。  アンテナ装置１００は、アンテナ素子１０及びプリント基板２０を備えており、アンテナ素子１０は、略直方体状の絶縁材料からなるベース１１と、ベース１１の上面に形成された放射導体１２と、放射導体１２に接続されたスプリングコネクタ１３とを備えている。プリント基板２０上には給電パッド２１，２２が設けられており、パッド２１，２２の形成領域内にはスルーホール導体２４が形成されている。アンテナ実装時において、スプリングコネクタ１３の先端部１３ａはパッド２１，２２に接触し且つスルーホール導体２４に嵌合しているので、スプリングコネクタ１３の先端部１３ａの位置ばらつきを抑えることができ、アンテナ特性の向上を図ることができる。
2009113474.tif 000002
【特許請求の範囲】
【請求項１】
放射導体を有するアンテナ素子と、前記アンテナ素子が実装されたプリント基板と、前記アンテナ素子を前記プリント基板上に固定するための固定部材と、前記アンテナ素子及び前記プリント基板のいずれか一方に設けられたスプリングコネクタと、前記アンテナ素子及び前記プリント基板のいずれか他方に設けられたパッドと、前記パッドの形成領域内に設けられた穴部とを備え、前記スプリングコネクタの先端部は、前記パッドに接触し且つ前記穴部に嵌合していることを特徴とするアンテナ装置。
【請求項２】
前記スプリングコネクタは前記アンテナ素子側に設けられており、前記パッドは前記プリント基板側に設けられていることを特徴とする請求項１に記載のアンテナ装置。
【請求項３】
前記アンテナ素子は、絶縁性のベースをさらに備え、前記放射導体は、前記ベースの表面に形成されており、前記スプリングコネクタの後端部は、前記放射導体に接続されていることを特徴とする請求項２に記載のアンテナ装置。
【請求項４】
前記スプリングコネクタの直径は、前記穴部の直径よりも大きく、前記スプリングコネクタの先端部には、直径が前記スプリングコネクタの直径よりも小さいテーパー部が設けられていることを特徴とする請求項１に記載のアンテナ装置。
【請求項５】
前記スプリングコネクタの前記先端部は前記パッドの表面と略平行な段差面を有し、前記段差面が前記パッドに接触することを特徴とする請求項４に記載のアンテナ装置。
【請求項６】
前記スプリングコネクタの先端部の形状が略円柱状であり、前記穴部の開口部にテーパー面が形成されており、前記スプリングコネクタの先端部が前記テーパー面に接触することを特徴とする請求項１に記載のアンテナ装置。
【請求項７】
放射導体を有するアンテナ素子と、前記アンテナ素子が実装されたプリント基板と、前記アンテナ素子及び前記プリント基板のいずれか一方に設けられたスプリングコネクタと、前記アンテナ素子及び前記プリント基板のいずれか他方に設けられた凸部を有するパッドと、前記スプリングコネクタの先端部に設けられた穴部とを備え、前記スプリングコネクタの前記穴部は、前記パッドに接触し且つ前記凸部に嵌合していることを特徴とするアンテナ装置。
【請求項８】
前記パッドの前記凸部がテーパー面を有していることを特徴とする請求項７に記載のアンテナ装置。
【請求項９】
前記スプリングコネクタの前記穴部がテーパー面を有していることを特徴とする請求項７に記載のアンテナ装置。
【発明の詳細な説明】
【技術分野】
【０００１】
本発明は、アンテナ装置に関し、特にスプリングコネクタを用いたアンテナ接続構造に関するものである。
【背景技術】
【０００２】
携帯電話等の小型携帯端末に内蔵されるアンテナ素子をプリント基板上のパッドに接続する技術として、スプリングコネクタを用いる方法が知られている（例えば特許文献１参照）。【０００３】
図１２は、スプリングコネクタを用いた従来のアンテナ装置の一例を示す略側面図である。【０００４】
図１２に示すように、このアンテナ装置７００は、アンテナ素子１１０とプリント基板１２０とを備えており、アンテナ素子１１０は、ベース１１１と、ベース１１１の上面に形成された放射導体１１２とを備えている。放射導体１１２の長手方向の一方の端部にはスプリングコネクタ１１３が設けられており、スプリングコネクタ１１３の先端部はプリント基板１２０上に設けられた給電パッド１２１及びグランドパッド１２２に接触している。これにより、放射導体１１２はスプリングコネクタ１１３を介して給電パッド１２１及びグランドパッド１２２に接続されている。通常、プリント基板１２０には外装ケース１３０が被せられるが、アンテナ素子１１０はこの外装ケース１３０によって位置決め固定される。
【特許文献１】特許第３９８８６９９公報
【発明の開示】
【発明が解決しようとする課題】
【０００５】
しかしながら、上述した従来のアンテナ装置７００では、図１３に示すように、スプリングコネクタ１１３をベース１１１に組み込む際の位置ずれにより、或いはアンテナ素子１１０をプリント基板１２０上に実装した際のわずかな位置ずれにより、給電パッド１２１やグランドパッド１２２に対するスプリングコネクタ１１３の接触位置もばらつくため、アンテナ素子１１０の電気長が変化する。図１１に示す例においては、給電パッド１２１及びグランドパッド１２２の中心にスプリングコネクタ１１３の中心軸（破線Ａ）が位置するよう設計したのに対し、実際にはＢ方向にずれて実装された状態を模式的に示している。この場合、電気長が距離Ｃだけ設計値よりも長くなってしまう。そして、この電気長の変化により、インピーダンスマッチング及び共振周波数のばらつきを小さくすることができないという問題がある。【０００６】
したがって、本発明の目的は、スプリングコネクタの接触位置のばらつきによって生じるアンテナの電気長の変化を抑え、インピーダンスマッチング及び共振周波数のばらつきを小さくすることが可能なアンテナ装置を提供することにある。
【課題を解決するための手段】
【０００７】
上記課題を解決するため、本発明によるアンテナ装置は、放射導体を有するアンテナ素子と、アンテナ素子が実装されたプリント基板と、アンテナ素子をプリント基板上に固定するための固定部材と、アンテナ素子及びプリント基板のいずれか一方に設けられたスプリングコネクタと、アンテナ素子及びプリント基板のいずれか他方に設けられたパッドと、パッドの形成領域内に設けられた穴部とを備え、スプリングコネクタの先端部は、パッドに接触し且つ穴部に嵌合していることを特徴とするものである。【０００８】
本発明において、スプリングコネクタはアンテナ素子側に設けられており、パッドはプリント基板側に設けられていることが好ましい。これによれば、プリント基板に対してアンテナ素子と共にスプリングコネクタの位置を動かしながら、スプリングコネクタの先端部をスルーホール導体の位置に合わせることができ、スプリングコネクタとスルーホール導体との嵌合を容易に行うことができる。【０００９】
本発明において、アンテナ素子は、絶縁性のベースをさらに備え、放射導体は、ベースの表面に形成されており、スプリングコネクタの後端部は、放射導体に接続されていることが好ましい。これによれば、スプリングコネクタを用いた簡単な構造のアンテナ素子を実現することができる。【００１０】
本発明において、スプリングコネクタの直径は、穴部の直径よりも大きく、スプリングコネクタの先端部には、直径がスプリングコネクタの直径よりも小さいテーパー部が設けられていることが好ましい。スプリングコネクタがこのような形状を有する場合には、プリント基板上のパッドにスプリングコネクタを確実に嵌合させることができる。【００１１】
本発明において、スプリングコネクタの先端部はパッドの表面と略平行な段差面を有し、段差面がパッドに接触することが好ましい。これによれば、スプリングコネクタの一部を面接触させることができる。したがって、スプリングコネクタとプリント基板上のパッドとの電気的接続がさらに確実となる。【００１２】
本発明において、スプリングコネクタの先端部の形状が略円柱状であり、穴部の開口部にテーパー面が形成されており、スプリングコネクタの先端部がテーパー面に接触することが好ましい。これによれば、スプリングコネクタの先端部がテーパー面に接触するので、スプリングコネクタとプリント基板上のパッドとの電気的接続がさらに確実となる。また、僅かな位置ずれに対してはテーパー面によってガイドされて正確な位置に納まるので、スプリングコネクタの位置決めが容易となる。【００１３】
また、本発明によるアンテナ装置は、放射導体を有するアンテナ素子と、アンテナ素子が実装されたプリント基板と、アンテナ素子及びプリント基板のいずれか一方に設けられたスプリングコネクタと、アンテナ素子及びプリント基板のいずれか他方に設けられた凸部を有するパッドと、スプリングコネクタの先端部に設けられた穴部とを備え、スプリングコネクタの穴部は、パッドに接触し且つ凸部に嵌合していることを特徴とするものである。【００１４】
本発明においては、パッドの凸部がテーパー面を有していることが好ましく、またはスプリングコネクタの穴部がテーパー面を有していることが好ましい。このように、パッド側かスプリングコネクタ側の少なくとも一方にテーパー面が設けられている場合には、パッドに対するスプリングコネクタの僅かな位置ずれに対してはテーパー面によってガイドされて正確な位置に納まるので、スプリングコネクタの位置決めが容易となる。【００１５】
本発明において、穴部は、スルーホール導体からなることが好ましい。これによれば、スプリングコネクタを嵌合させるための穴部を容易に形成することができる。
【発明の効果】
【００１６】
このように、本発明によれば、スプリングコネクタの接触位置のばらつきによって生じるアンテナの電気長の変化を抑えることができ、インピーダンスマッチング及び共振周波数のばらつきが小さなアンテナ装置を提供することができる。
【図面の簡単な説明】
【００１７】
【図１】図１は、本発明の第１の実施形態によるアンテナ装置１００の構造を示す略斜視図である。
【図２】図２は、スプリングコネクタ１３の先端部付近を拡大して示す略斜視図である。
【図３】図３（ａ）乃至（ｃ）は、スプリングコネクタ１３の動作を示す略断面図である。
【図４】図４（ａ）及び（ｂ）は、スプリングコネクタ１３の先端部の形状の変形例を示す略断面図である。
【図５】図５は、スプリングコネクタ１３の先端部の形状の変形例を示す略断面図である。
【図６】図６は、図５に示したスプリングコネクタ１３Ｄのさらなる変形例を示す略断面図である。
【図７】図７は、本発明の第２の実施形態によるアンテナ装置２００の構造を示す略断面図である。
【図８】図８は、本発明の第３の実施形態によるアンテナ装置３００の構造を示す略断面図である。
【図９】図９は、本発明の第４の実施形態によるアンテナ装置４００の構造を示す略側面断面図である。
【図１０】図１０は、本発明の第５の実施形態によるアンテナ装置５００の構造を示す略側面断面図である。
【図１１】図１１は、本発明の第６の実施形態によるアンテナ装置６００の構造を示す略側面断面図である。
【図１２】図１２は、スプリングコネクタを用いた従来のアンテナ装置の一例を示す略側面図である。
【図１３】図１３は、従来のアンテナ装置７００の問題点を説明するための模式図である。
【符号の説明】
【００１８】
１０    アンテナ素子
１１    ベース
１１Ａ    ベースの上面
１２    放射導体
１３    スプリングコネクタ
１３Ａ〜１３Ｄ    スプリングコネクタ
１３ａ  スプリングコネクタの先端部
１３ｂ    テーパー面
１３ｃ    先端部１２ａの平坦面
１３ｄ    スプリングコネクタの段差部
１３ｅ    段差面
１３ｆ    フランジ部
１３ｇ    穴部
１３ｈ    テーパー面
２０    プリント基板
２０Ａ    プリント基板の上面
２１    給電パッド
２１ａ    凸部
２１ｂ    テーパー面
２２    グランドパッド
２３    給電ライン
２４    スルーホール
２４ａ    開口部
２４ｂ    開口部のエッジ部分
２４ｃ    テーパー面
１００〜７００    アンテナ装置
１１０    アンテナ素子
１１１    ベース
１１２    放射導体
１１３    スプリングコネクタ
１２０    プリント基板
１２１    給電パッド
１２２    グランドパッド
１３０    外装ケース
Ｐ    スプリングコネクタの先端
Ｒ１    スルーホール導体の開口部の直径
Ｒ２    スプリングコネクタの直径
Ｒ３    スプリングコネクタの先端部の直径
Ｒ４    スルーホール導体の開口部の最大直径
Ｒ５    スルーホール導体の開口部の最小直径
【発明を実施するための最良の形態】
【００１９】
以下、添付図面を参照しながら、本発明の好ましい実施の形態について詳細に説明する。【００２０】
図１は、本発明の第１の実施形態によるアンテナ装置１００の構造を示す略斜視図である。【００２１】
図１に示すように、このアンテナ装置１００は、アンテナ素子１０と、アンテナ素子１０が実装されるプリント基板２０とを備えている。アンテナ素子１０は、絶縁性を有する直方体状のベース１１と、ベース１１の上面１１Ａに形成された放射導体１２と、ベース１１の長手方向の一方の端部に設けられた２本のスプリングコネクタ１３，１３とを備えている。また図示していないが、プリント基板２０には外装ケースが被せられ、アンテナ素子１０はこの外装ケースによって位置決め固定される（図１２参照）。【００２２】
ベース１１の大きさは、目的とするアンテナ特性に応じて適宜設定すればよい。特に限定されるものではないが、本実施形態においては１０×２×４（ｍｍ）とすることができる。ベース１１の材料としては、目的とするアンテナ特性に応じて適宜選択すればよいが、比誘電率の低い材料を用いることが好ましく、本実施形態においては、例えばフッ素樹脂、アクリル樹脂等の樹脂を用いることができる。【００２３】
放射導体１２は、ベース１１の上面１１Ａの略全面に形成されている。放射導体１２は、スクリーン印刷により形成してもよく、薄い導体シートを貼り付けることにより形成してもよい。ベース１１には、スプリングコネクタ１３を貫通させるための貫通孔が形成されており、スプリングコネクタ１３はこの貫通孔に圧入、溶着等により固定されている。スプリングコネクタ１３の固定によりスプリングコネクタ自体のぐらつきが減少し、インピーダンスや共振周波数のバラつきをより小さくすることができる。【００２４】
スプリングコネクタ１３は、軸方向に伸縮可能なバネ性を有するコネクタであって、プリント基板２０上の導体パターン（パッド）と放射導体１２との間を電気的につなぐ配線部材である。上記のようにアンテナ素子１０は固定部材としての外装ケースによって固定され、これによりスプリングコネクタ１３，１３は下方（プリント基板２０側）に押圧されている。スプリングコネクタ１３によれば、弾性力よってプリント基板２０と放射導体１２との接触部にかかる荷重変動を吸収することができ、両者の接触不良を確実に防止することができる。【００２５】
本実施形態のスプリングコネクタ１３は釘状であって、円柱状の胴部と、胴部の後端部に設けられた略平板状の頭部を有している。頭部は放射導体１２と接触しており、これにより放射導体１２とスプリングコネクタ１３との電気的接続が確保されている。スプリングコネクタ１３の先端部は、ベース１１の底面よりも下方に突出しており、略円錐形状のテーパー面は露出している。【００２６】
一方、プリント基板２０の上面２０Ａには、給電パッド２１及びグランドパッド２２が設けられており、給電パッド２１は給電ライン２３に接続されている。すなわち、本実施形態のアンテナはいわゆる逆Ｆアンテナである。【００２７】
図２は、スプリングコネクタ１３の先端部付近を拡大して示す略斜視図であり、図３（ａ）乃至（ｃ）は、スプリングコネクタ１３の動作を示す略断面図である。【００２８】
図２及び図３（ａ）乃至（ｃ）に示すように、給電パッド２１及びグランドパッド２２の中央部には、プリント基板２０を貫通するスルーホール導体２４，２４がそれぞれ形成されている。これらのスルーホール導体２４は、スプリングコネクタ１３の位置決め手段としての役割を果たす。そのため、スルーホール導体２４の位置はスプリングコネクタ１３の先端部１３ａの位置に対応している。【００２９】
図３（ａ）乃至（ｃ）に示すように、本実施形態のスルーホール導体２４は、プリント基板２０を貫通する貫通孔の内壁面に導電膜が形成されたものである。つまり、貫通孔の内部が導電材料によって完全に埋められた構造のものではない。スルーホール導体２４の直径（内径）Ｒ１は、スプリングコネクタ１３の胴部の直径（外径）Ｒ２よりも小さく設定されている。【００３０】
アンテナ素子１０をプリント基板２０上に搭載するとき、図３（ａ）に示すように、スプリングコネクタ１３の先端Ｐがスルーホール導体２４の開口部２４ａの外側にあれば、スプリングコネクタ１３の先端Ｐはパッド２１，２２の上面と点接触した状態にある。このとき、スルーホール導体２４の中心軸（Ｄ−Ｄ線）に近づく方向にスプリングコネクタ１３をスライドさせることで、スプリングコネクタ１３の先端Ｐをスルーホール導体２４の内側（直径Ｒ１の範囲内）に移動させることができる。【００３１】
図３（ｂ）に示すように、スプリングコネクタ１３がスルーホール導体２４の内側（直径Ｒ１の範囲内）にあれば、スプリングコネクタ１３のテーパー面１３ｂは、スルーホール導体２４の開口部のエッジ部分２４ｂに接触する。そして、スプリングコネクタ１３の先端部１３ａがそのバネ力によってさらに下方へ押し下げられると、スプリングコネクタ１３はスルーホール導体２４との接触点（エッジ部分２４ｂ）から、スルーホール導体２４の中心軸と直交する方向、より詳細にはスルーホール導体２４の中心軸（Ｄ−Ｄ線）に近づく方向への応力を受ける。その結果、図３（ｃ）に示すように、スプリングコネクタ１３の先端Ｐの最終的な位置は、スルーホール導体２４の中心軸と一致する。このように、スプリングコネクタ１３がスルーホール導体２４に嵌合し、スプリングコネクタ１３とスルーホール導体２４の中心軸が一致することから、パッド２１，２２に接触するスプリングコネクタ１３の位置を常に一定にすることができる。【００３２】
図４及び図５は、スプリングコネクタ１３の先端部の形状の変形例を示す略断面図である。【００３３】
図４（ａ）に示すスプリングコネクタ１３Ａは、その先端部１３ａが略円錐状であって、直線的なテーパー面１３ｂを有しているが、最も先端な部分は面取りされ、平坦面１３ｃが形成されている。また、図４（ｂ）に示すスプリングコネクタ１３Ｂは、その先端部１３ａが略半球状であって、曲線的なテーパー面１３ｂを有している。これらの構成によれば、尖りすぎたスプリングコネクタ１３の先端Ｐがパッド２１，２２を傷つけるおそれがない。また、スプリングコネクタ１３の先端部の変形や破損を防止することができる。【００３４】
図５に示すスプリングコネクタ１３Ｃは、その先端部１３ａに段差部１３ｄを有し、突起部分がガイド面（テーパー面）を有する先端部として機能してスルーホール導体２４と嵌合するのに対し、段差部１３ｄによる段差面１３ｅは電極パッド２１，２２との接触面として機能する。これによれば、スプリングコネクタ１３とスルーホール導体２４とを嵌合させることができると共に、パッド２１，２２に対する十分な接触面を得ることができる。したがって、接触抵抗を低減することができ、アンテナの放射特性を改善することができる。【００３５】
図６は、図５に示したスプリングコネクタ１３Ｄのさらなる変形例を示す略断面図である。【００３６】
図６に示すように、スプリングコネクタ１３Ｄは、先端部の段差面１３ｅをフランジ部１３ｆにより形成したものである。この構成によれば、図５に示したスプリングコネクタ１３Ｃと同様の作用効果を得ることができる。【００３７】
以上説明したように、本実施形態のアンテナ装置１００は、直方体状の絶縁体からなるベース１１を貫通して設けられたスプリングコネクタ１３を備え、プリント基板２０上のパッド２１，２２にはスルーホール２４が形成され、スプリングコネクタ１３の先端部１３ａがスルーホール導体２４に嵌合しているので、アンテナの電気長の変化を抑えることができ、インピーダンスマッチング及び共振周波数のばらつきを小さくすることができる。【００３８】
図７は、本発明の第２の実施形態によるアンテナ装置２００の構造を示す略断面図である。【００３９】
図７に示すように、このアンテナ装置２００の特徴は、テーパー面がスプリングコネクタ１３側ではなくプリント基板２０側に形成されており、上述したアンテナ装置１００とはテーパー面の形成位置が逆になっている点にある。スプリングコネクタ１３は、その先端部１３ａが略円柱形状（断面的には矩形状）であって、テーパー面を有していない。しかし、プリント基板２０上のパッド２１，２２の中央部に設けられたスルーホール導体２４の開口部２４ａにテーパー面２４ｃが形成されている。また、スプリングコネクタ１３の先端部１３ａの直径Ｒ３は、スルーホール導体２４の開口部２４ａの最大直径Ｒ４よりも小さく且つ最小直径Ｒ５よりも大きく設定されている（Ｒ４＞Ｒ３＞Ｒ５）。その他の構成は図１等に示したアンテナ装置１００と同様であることから、同一の構成要素に同一の符号を付して詳細な説明を省略する。【００４０】
アンテナ素子１０をプリント基板２０上に搭載するとき、スプリングコネクタ１３の先端部１３ａがスルーホール導体２４の開口部の内側（直径Ｒ４の範囲内）にあれば、スプリングコネクタ１３の先端部１３ａのエッジ部分は、スルーホール導体２４の開口部２４ａのテーパー面２４ｃに接触する。そして、スプリングコネクタ１３がさらに下方へ移動すると、スプリングコネクタ１３はスルーホール導体２４との接触点（テーパー面２４ｃ）から、スルーホール導体２４の中心軸（Ｄ−Ｄ線）と直交する方向、より詳細にはスルーホール導体２４の中心軸に近づく方向への応力を受ける。その結果、スプリングコネクタ１３の先端部１３ａの最終的な位置は、スルーホール導体２４の中心軸と一致する。【００４１】
このように、本実施形態のアンテナ装置２００によれば、スプリングコネクタ１３がスルーホール導体２４に嵌合し、スプリングコネクタ１３とスルーホール導体２４の中心軸が一致することから、パッド２１，２２に接触するスプリングコネクタ１３の位置を常に一定にすることができる。したがって、スプリングコネクタ１３の接触位置のばらつきによって生じるアンテナ素子１０の電気長の変化を抑えることができ、インピーダンスマッチング及び共振周波数のばらつきを小さくすることができる。【００４２】
図８は、本発明の第３の実施形態によるアンテナ装置３００の構造を示す略断面図である。【００４３】
図８に示すように、このアンテナ装置３００の特徴は、テーパー面がスプリングコネクタ１３側とプリント基板２０側の両方に形成されている点にある。スプリングコネクタ１３は、その先端部１３ａが円錐状であって、テーパー面１３ｂを有している。さらに、プリント基板２０上のパッド２１，２２の中央部に設けられたスルーホール導体２４の開口部２４ａにテーパー面２４ｃが形成されている。スプリングコネクタ１３の直径Ｒ３は、スルーホール導体２４の開口部２４ａの最大直径Ｒ４及び最小直径Ｒ５よりも大きく設定されている（Ｒ３＞Ｒ４＞Ｒ５）。その他の構成は図１等に示したアンテナ装置１００と同様であることから、同一の構成要素に同一の符号を付して詳細な説明を省略する。【００４４】
本実施形態によれば、第２の実施形態によるアンテナ装置２００と同様の作用効果を得ることができるだけでなく、テーパー面同士が接触するので、スプリングコネクタ１３とパッド２１，２２との接触面積を大きく取ることができる。したがって、接触抵抗を低減することができ、アンテナの放射特性を改善することができる。【００４５】
図９は、本発明の第４の実施形態によるアンテナ装置４００の構造を示す略側面断面図である。【００４６】
図９に示すように、このアンテナ装置４００の特徴は、プリント基板２０側にスプリングコネクタ１３が設けられており、アンテナ素子１０側にパッド２１，２２及びスルーホール導体２４が設けられている点にある。すなわち、スプリングコネクタ１３及びスルーホール導体２４の形成位置が上述した第１及び第２の実施形態とは逆になっている。その他の構成については第１の実施形態と同様であることから、同一の構成には同一の符号を付して詳細な説明を省略する。【００４７】
このように、本実施形態のアンテナ装置４００によれば、第１の実施形態と同様の作用効果を得ることができる。すなわち、本実施形態のアンテナ装置４００は、直方体状の絶縁体からなるベース１１の底面に設けられたパッド２１，２２及びベース１１を貫通して設けられたスルーホール導体２４を備え、プリント基板２０にはスプリングコネクタ１３が設けられ、スプリングコネクタ１３の先端部１３ａがスルーホール導体２４に嵌合しているので、アンテナの電気長の変化を抑えることができ、インピーダンスマッチング及び共振周波数のばらつきを小さくすることができる。【００４８】
上記各実施形態においては、スプリングコネクタ１３の先端部１３ａが尖っており、この先端部１３ａをプリント基板２０上のスルーホール導体２４に嵌合させることで両者の位置を一致させているが、スプリングコネクタ１３の先端部１３ａに穴部を形成し、この穴部にプリント基板２０上のパッドに形成された凸部を嵌合させることで両者の位置を一致させることも可能である。【００４９】
図１０は、本発明の第５の実施形態によるアンテナ装置５００の構造を部分的に示す略側面断面図である。また、図１１は、本発明の第６の実施形態によるアンテナ装置６００の構造を部分的に示す略側面断面図である。【００５０】
まず、図１０に示すアンテナ装置５００の特徴は、上述した各実施形態によるアンテナ装置と異なり、スプリングコネクタ１３の先端部１３ａに穴部１３ｇが設けられており、プリント基板２０のパッド２１に凸部２１ａが設けられている点にある。特に、本実施形態においては、パッド２１の凸部２１ａにテーパー面２１ｂが形成されている。以上の構成は、パッド２２との関係においても同様であるので、説明を省略する。さらに、その他の構成は他の実施形態と同様であることから、同一の構成要素に同一の符号を付して詳細な説明を省略する。【００５１】
アンテナ装置５００のアンテナ素子１０をプリント基板２０上に搭載するとき、スプリングコネクタ１３の先端部１３ａがパッド２１の凸部２１ａの範囲内にあれば、スプリングコネクタ１３の先端部１３ａに設けられた穴部１３ｇは、パッド２１の凸部２１ａに嵌合すると共に、テーパー面２１ａに接触する。そして、スプリングコネクタ１３がさらに下方へ移動することで、スプリングコネクタ１３の先端部１３ａはテーパー面２１ａにガイドされて水平方向に移動し、スプリングコネクタ１３の先端部１３ａの最終的な位置は、パッド２１の中心と一致する。したがって、パッド２１に接触するスプリングコネクタ１３の位置を常に一定にすることができる。【００５２】
また、図１１に示すアンテナ装置６００の特徴も、図１０に示したアンテナ装置５００と同様、スプリングコネクタ１３の先端部１３ａに穴部１３ｇが設けられており、プリント基板２０のパッド２１に突起が設けられている点にある。ただし、図１０に示したアンテナ装置５００と異なり、本実施形態においては、スプリングコネクタ１３の先端部１３ａに設けられた穴部１３ｇにテーパー面１３ｈが形成されている。【００５３】
アンテナ装置６００のアンテナ素子１０をプリント基板２０上に搭載するとき、スプリングコネクタ１３の先端部１３ａがパッド２１の凸部２１ａの範囲内にあれば、スプリングコネクタ１３の先端部１３ａに設けられた穴部１３ｇは、パッド２１の凸部２１ａに嵌合し、テーパー面１３ｈは凸部２１ａに接触する。そして、スプリングコネクタ１３がさらに下方へ移動することで、スプリングコネクタ１３の先端部１３ａはテーパー面１３ｈにガイドされて水平方向に移動し、スプリングコネクタ１３の先端部１３ａの最終的な位置は、パッド２１の中心と一致する。したがって、パッド２１に接触するスプリングコネクタ１３の位置を常に一定にすることができる。【００５４】
本発明は、以上の実施形態に限定されることなく、本発明の趣旨を逸脱しない範囲内で種々の変更を加えることが可能であり、それらも本発明の範囲に包含されるものであることは言うまでもない。【００５５】
上記実施形態においては、アンテナ素子１０（又はプリント基板２０）が２本のスプリングコネクタ１３を備えているが、スプリングコネクタ１３の本数は特に限定されず、１本以上であれば何本であっても構わない。また、スプリングコネクタ１３の形成位置も特に限定されるものではない。【００５６】
また、上記実施形態においては、スプリングコネクタ１３を嵌合させるための穴部としてスルーホール導体２４を用いているが、非貫通状態の穴部を用いても構わない。【００５７】
また、上記実施形態においては、ベース１１の基本形状が直方体状であるが、ベース１１の基本形状は直方体状に限定されるものではなく、種々の形状を取ることができる。
【図１】
2009113474.tif 000003
【図２】
2009113474.tif 000004
【図３】
2009113474.tif 000005
【図４】
2009113474.tif 000006
【図５】
2009113474.tif 000007
【図６】
2009113474.tif 000008
【図７】
2009113474.tif 000009
【図８】
2009113474.tif 000010
【図９】
2009113474.tif 000011
【図１０】
2009113474.tif 000012
【図１１】
2009113474.tif 000013
【図１２】
2009113474.tif 000014
【図１３】
2009113474.tif 000015
【国際調査報告】
2009113474.tif 000016
2009113474.tif 000017
2009113474.tif 000018
2009113474.tif 000019